(57)【要約】      （修正有）【課題】高い集魚効果を得ることが可能なソフトルアーを提供する。【解決手段】ソフトルアー１は、可撓性材料によって構成され、頭部と尾部とを有するルアー本体２と、板状のブレード３と、ルアー本体２の尾部にブレード３を接続する接続具４とを備える。接続具４は、ルアー本体２の頭部と尾部とを結ぶ軸長方向を中心としたブレード３の回転範囲を制限しつつその回転方向の力をルアー本体２の尾部に伝達する。かかるソフトルアーは、ブレード３が水流を受けた場合に、ブレード３の回転方向の力が生じ、接続具４により回転方向の力がルアー本体２の尾部に伝達されることにより、尾部に捻れが発生するように構成されている。【選択図】図１
2018198574.tif 000002
【特許請求の範囲】
【請求項１】
可撓性材料によって構成され、頭部と尾部とを有するルアー本体と、
板状のブレードと、
前記尾部に前記ブレードを接続する接続具と
を備え、
前記接続具は、前記頭部と前記尾部とを結ぶ軸長方向を中心とした前記ブレードの回転範囲を制限しつつその回転方向の力を前記尾部に伝達するように構成され、
前記ブレードが水流を受けた場合に、前記回転方向の力が生じ、前記接続具により前記回転方向の力が前記尾部に伝達されることにより、前記尾部に捻れが発生するように構成されている、
ソフトルアー。
【請求項２】
前記接続具は、一端に前記ブレードが接続されており、他端が前記尾部に埋め込まれており、
前記他端は、前記ルアー本体に対する前記接続具の相対的な回転を制限する回転制限面を有する、
請求項１に記載のソフトルアー。
【請求項３】
前記他端は、前記軸長方向に交差する軸周りに環状に形成された環状部を有し、
前記回転制限面は、前記環状部における前記軸が延びる方向を向いた面である、
請求項２に記載のソフトルアー。
【請求項４】
前記他端は、前記軸長方向に交差する交差方向に薄い扁平部を有し、
前記回転制限面は、前記扁平部における前記交差方向を向いた面である、
請求項２に記載のソフトルアー。
【請求項５】
前記一端は、前記軸長方向に交差する軸周りに環状に形成された接続環状部を有し、
前記ブレードは、一部に孔が形成され、前記接続環状部が前記孔に係合することにより前記一端に接続されている、
請求項２乃至４の何れかに記載のソフトルアー。
【請求項６】
前記接続環状部は、横方向に開通した穴部を有する、
請求項５に記載のソフトルアー。
【請求項７】
前記ルアー本体は、腹部と背部とを有し、
前記ブレードは、前記軸長方向に延びるように配置されたときに、前記腹部と前記背部とを結ぶ方向に主面が向くように構成されている、
請求項１乃至６の何れかに記載のソフトルアー。
【請求項８】
前記ルアー本体は、前記頭部から前記尾部にかけて流線型又は直線状をなしている、
請求項１乃至７の何れかに記載のソフトルアー。
【請求項９】
前記ソフトルアーが前記尾部から前記頭部へ向かう進行方向へ進行しているときに、前記尾部が前記進行方向に向かって時計方向及び反時計方向に繰り返し捻れることで前記ブレードが前記時計方向及び反時計方向に繰り返し回転し、且つ、前記ルアー本体の前記進行方向に対する一方側及び他方側に前記ブレードが繰り返し揺動するように構成されている、
請求項１乃至８の何れかに記載のソフトルアー。
【請求項１０】
前記ブレードの前記軸長方向における長さが、前記ルアー本体の前記軸長方向における長さの１／１０倍以上１／２倍以下である、
請求項１乃至９の何れかに記載のソフトルアー。
【請求項１１】
前記ブレードの一面の面積が、前記ルアー本体の投影面積の１／１０倍以上１／２倍以下である、
請求項１乃至９の何れかに記載のソフトルアー。
【発明の詳細な説明】
【技術分野】
【０００１】
本発明は、魚釣りに用いられるソフトルアーに関する。
【背景技術】
【０００２】
尾部にブレードが取り付けられたルアーがある。特許文献１に開示されているルアーは、魚の形状を模したルアー本体の尾部に連結用リングが設けられ、この連結用リングに回転自在ジョイントを介してブレードが取り付けられる。回転自在ジョイントは、ルアー本体に対してブレードを滑らかに回転させることを可能とする。また、特許文献２には、棒状の接続体の一端にヨリモドシ（回転自在ジョイント）を介してブレードが取り付けられ、接続体の他端にコイル状の接続部が設けられた集魚体が開示されている。この集魚体は、コイル状の接続部をねじ込むことでソフトルアーに取り付けられる。
【先行技術文献】
【特許文献】
【０００３】
【特許文献１】特開２００３−７０３８３号公報
【特許文献２】特許第３９５６２２１号公報
【発明の概要】
【発明が解決しようとする課題】
【０００４】
しかしながら、ブレードだけでなく、ルアー本体の動きも集魚効果には大きな影響がある。特許文献１及び２に開示されたルアーでは、ルアー本体の動きがほとんどなく、これによる集魚効果は期待できない。
【０００５】
本発明は斯かる事情に鑑みてなされたものであり、その主たる目的は、上記課題を解決することができるソフトルアーを提供することにある。
【課題を解決するための手段】
【０００６】
上述した課題を解決するために、本発明の一の態様のソフトルアーは、可撓性材料によって構成され、頭部と尾部とを有するルアー本体と、板状のブレードと、前記尾部に前記ブレードを接続する接続具とを備え、前記接続具は、前記頭部と前記尾部とを結ぶ軸長方向を中心とした前記ブレードの回転範囲を制限しつつその回転方向の力を前記尾部に伝達するように構成され、前記ブレードが水流を受けた場合に、前記回転方向の力が生じ、前記接続具により前記回転方向の力が前記尾部に伝達されることにより、前記尾部に捻れが発生するように構成されている。
【０００７】
この態様において、前記接続具は、一端に前記ブレードが接続されており、他端が前記尾部に埋め込まれており、前記他端は、前記ルアー本体に対する前記接続具の相対的な回転を制限する回転制限面を有してもよい。
【０００８】
上記態様において、前記他端は、前記軸長方向に交差する軸周りに環状に形成された環状部を有し、前記回転制限面は、前記環状部における前記軸が延びる方向を向いた面であってもよい。
【０００９】
上記態様において、前記他端は、前記軸長方向に交差する交差方向に薄い扁平部を有し、前記回転制限面は、前記扁平部における前記交差方向を向いた面であってもよい。
【００１０】
上記態様において、前記一端は、前記軸長方向に交差する軸周りに環状に形成された接続環状部を有し、前記ブレードは、一部に孔が形成され、前記接続環状部が前記孔に係合することにより前記一端に接続されていてもよい。
【００１１】
上記態様において、前記接続環状部は、横方向に開通した穴部を有してもよい。
【００１２】
上記態様において、前記ルアー本体は、腹部と背部とを有し、前記ブレードは、前記軸長方向に延びるように配置されたときに、前記腹部と前記背部とを結ぶ方向に主面が向くように構成されていてもよい。
【００１３】
上記態様において、前記ルアー本体は、前記頭部から前記尾部にかけて流線型又は直線状をなしていてもよい。
【００１４】
上記態様において、前記ソフトルアーが前記尾部から前記頭部へ向かう進行方向へ進行しているときに、前記尾部が前記進行方向に向かって時計方向及び反時計方向に繰り返し捻れることで前記ブレードが前記時計方向及び反時計方向に繰り返し回転し、且つ、前記ルアー本体の前記進行方向に対する一方側及び他方側に前記ブレードが繰り返し揺動するように構成されていてもよい。
【００１５】
上記態様において、前記ブレードの前記軸長方向における長さが、前記ルアー本体の前記軸長方向における長さの１／１０倍以上１／２倍以下であってもよい。
【００１６】
上記態様において、前記ブレードの一面の面積が、前記ルアー本体の投影面積の１／１０倍以上１／２倍以下であってもよい。
【発明の効果】
【００１７】
本発明によれば、ルアー本体に動きを与え、高い集魚効果を得ることが可能なソフトルアーを提供することができる。
【図面の簡単な説明】
【００１８】
【図１】実施の形態１に係るソフトルアーの構成を示す斜視図。
【図２】実施の形態１に係るソフトルアーの構成を示す平面図。
【図３】実施の形態１に係るソフトルアーの構成を示す側面図。
【図４】実施の形態１に係るソフトルアーの構成を示す正面図。
【図５】実施の形態１に係るソフトルアーの構成を示す平面断面図。
【図６】実施の形態１に係るソフトルアーの構成を示す側面断面図。
【図７】実施の形態１に係るソフトルアーの尾部周辺の拡大側面断面図。
【図８】実施の形態１に係るブレードの回転範囲を説明するためのブレード及び接続環状部の拡大背面図。
【図９】実施の形態１に係る接続具の構成を示す側面図。
【図１０】実施の形態１に係るソフトルアーの使用状態を示す斜視図。
【図１１】実施の形態１に係るソフトルアーの動作を説明するための平面図。
【図１２】実施の形態１に係るソフトルアーの動作を説明するための背面図。
【図１３Ａ】ブレードが右側に振れたときのソフトルアーの動作を説明するための実施の形態１に係るソフトルアーの平面図。
【図１３Ｂ】ブレードが左側に振れたときのソフトルアーの動作を説明するための実施の形態１に係るソフトルアーの平面図。
【図１４】実施の形態２に係るソフトルアーの構成を示す斜視図。
【図１５】実施の形態２に係るソフトルアーの構成を示す平面図。
【図１６】実施の形態２に係るソフトルアーの構成を示す側面図。
【図１７】実施の形態２に係るソフトルアーの構成を示す正面図。
【図１８】実施の形態３に係るソフトルアーの構成を示す斜視図。
【図１９】実施の形態３に係るソフトルアーの構成を示す平面図。
【図２０】実施の形態３に係るソフトルアーの構成を示す側面図。
【図２１】実施の形態３に係るソフトルアーの構成を示す正面図。
【図２２】実施の形態３に係るソフトルアーの構成を示す平面断面図。
【図２３】実施の形態３に係るソフトルアーの構成を示す側面断面図。
【図２４】実施の形態３に係るソフトルアーの尾部周辺の拡大側面断面図。
【図２５Ａ】回転制限構造の一例を示す斜視図。
【図２５Ｂ】回転制限構造の他の例を示す斜視図。
【発明を実施するための形態】
【００１９】
以下、本発明の好ましい実施の形態を、図面を参照しながら説明する。
【００２０】
（実施の形態１）
図１は本実施の形態に係るソフトルアーの構成を示す斜視図であり、図２はその平面図であり、図３はその側面図であり、図４はその正面図である。なお、図１中に示される矢印はソフトルアー１の水中での進行方向を示している。以下では、この進行方向を「前方」、この進行方向とは逆方向を「後方」とする。また、ルアーの背側を「上側」、ルアーの腹側を「下側」とし、前後方向と直交し、ルアーの腹部と背部とを結ぶ方向を「上下方向」とする。また、ルアーの進行方向に向かって右側を「右側」、左側を「左側」とし、前後方向および上下方向のそれぞれに直交する方向を「左右方向」又は「横方向」とする。
【００２１】
図１乃至３に示すように、ソフトルアー１は、ルアー本体２と、ブレード３と、接続具４とを備える。
【００２２】
ルアー本体２は、小魚、は虫類、又は環形動物（ミミズ、ゴカイ等）の胴体を模した形状をなしている。具体的には、ルアー本体２は、頭部から尾部にかけて流線型又は直線状をなす所謂ストレートワームであり、頭部端が垂直面より僅かに下向きに傾斜した概略平坦面として形成され、頭部周辺において太く、頭部から尾部に近づくにしたがって細くなっている。また、ルアー本体２は、頭部から尾部を結ぶ軸に垂直な平面による断面形状が概ね倒立三角形をなしており、頭部から尾部に近づくにしたがって断面積が小さくなるものの、その断面形状は前後方向の位置にかかわらず概ね一定である。ルアー本体２は、ポリ塩化ビニル、生分解性樹脂等を主成分とする可撓性材料によって構成されている。
【００２３】
かかるルアー本体２の尾部には、接続具４を介してブレード３が連結される。ブレード３は、光沢がある金属製のプレートであり、先端が半円状となった概略涙型に形成された所謂コロラド型のものである。ブレード３の表面は金色又は銀色の光沢加工が施されており、表面全体が滑らかに形成され、若しくは鱗状又は四角形の連続した模様をなすように凹凸形成されている。ブレード３の前後方向の長さは、ルアー本体の前後方向の長さの１／５倍程度である。また、ブレード３の一面の面積は、ルアー本体２の上方からの投影面積の１／５倍以上１／３倍以下である。
【００２４】
図５は本実施の形態に係るソフトルアーの平面断面図であり、図６はその側面断面図である。また、図７はソフトルアー１の尾部周辺の拡大側面断面図である。接続具４は、直線状の棒状部４１の一端に円環状の接続環状部４２が、他端に円環状の環状部４３がそれぞれ設けられている。かかる接続具４は、１つの金属製の線材に曲げ加工が施されることにより形成される。つまり、図７に示すように、線材が２箇所において円環を形成するように折り返され、線材の両端が２つの円環（つまり、接続環状部４２及び環状部４３）の中間において突き合わされることにより、接続具４が形成される。接続環状部４２は、横方向に延びる軸周りに環状に形成されており、ブレード３に接続される。また、環状部４３は、横方向に延びる軸周りに環状に形成されており、ルアー本体２の尾部に埋め込まれる。
【００２５】
ブレード３の一端側には孔３１が設けられており、この孔３１に接続具４の接続環状部４２が係合され、これによって接続具４の一端にブレード３が接続される（図５参照）。接続環状部４２は、その穴部が横方向に開通する向きに配置されるため、ブレード３が後方へ延ばされた場合には、ブレード３の主面が上下方向を向くように配置される（図１乃至３参照）。また、ブレード３が鉛直下方に垂下された場合には、ブレード３の主面が前後方向を向くように配置される（図示せず）。
【００２６】
かかるブレード３は、一面が僅かに膨出し、他面が僅かに窪むように湾曲している。ブレード３が前後方向へ延びるように配置された場合に、膨出面が上側を向くように、ブレード３が接続具４に接続される。
【００２７】
ブレード３は、接続環状部４２と連結されているため、接続環状部４２の穴部の範囲内で移動することが可能である。このため、ブレード３は、ルアー本体２の頭部から尾部を結ぶ軸を中心とする方向（以下、「回転方向」という）への回転が可能であるが、その回転範囲は制限される。図８は、ブレード３の回転範囲を説明するためのブレード３及び接続環状部４２の拡大背面図である。ブレード３は回転方向の一方に回転すると、図８における破線で示す位置Ａにおいて孔３１の周辺の凸面側の部位が接続環状部４２の上側部分に、凹面側の部位が同下側部分に接触し、それ以上回転することができなくなる。同様にブレード３が回転方向の他方に回転した場合も、位置Ｂにおいて孔３１の凸面側の部位が接続環状部４２の上側部分に、凹面側の部位が同下側部分に接触し、それ以上回転することができなくなる。このため、ブレード３は接続環状部４２と平行になるような位置までは回転することができず、その回転範囲は１８０°未満に制限される。
【００２８】
図９は、接続具４の構成を示す側面図である。図９に示すように、環状部４３は前後及び上下方向に広がる円環状をなしている。ブレード３が回転範囲を超えて回転しようとすることによって接続具４には前後方向に延びる棒状部４１を中心とした回転力が作用するが、環状部４３がルアー本体２の尾部に埋め込まれており、環状部４３の両側面（図９において斜線で示す部分）がルアー本体２の内部の面と接しているため、この両側面が回転制限面４４として機能し、接続具４がルアー本体２に対して相対的に回転することが制限される。かかる接続具４では、取付対象のルアー本体２の尾部の大きさに合わせて、環状部４３の大きさが設定される。つまり、環状部４３は、その外径が、ルアー本体２の環状部４３が埋め込まれる位置における高さ（上下方向の長さ）より若干小さい。本実施の形態では、環状部４３の大きさは、接続環状部４２の大きさと同程度とされる。環状部４３の外径、つまり上下方向の長さがルアー本体２の環状部４３が設けられた位置における上下方向長さに近い程、棒状部４１の延長線から回転制限面４４までの最大距離が大きくなり、慣性モーメントが大きくなるため、接続具４のルアー本体２に対する相対的な回転制限効果が大きくなり好ましい。具体的には、環状部４３の外径、つまり上下方向の長さは、環状部４３の埋め込み位置におけるルアー本体２の上下方向長さに対して１／２倍以上１倍以下とすることが好ましい。
【００２９】
次に、水中を進行するときのソフトルアー１の動作について説明する。図１０は本実施の形態に係るソフトルアー１の使用状態を示す斜視図であり、図１１はソフトルアー１の動作を説明するための平面図であり、図１２はその背面図である。ソフトルアー１は、ジグヘッド５を装着した状態で使用される。ジグヘッド５は、ヘッド５１とＪ字状のフック５２とから構成され、フック５２の針先がソフトルアー１の背部から突き出るように刺し通して装着される（図１０参照）。なお、ジグヘッドには上記のＪ字状のフックではなく、三つ叉の所謂トレブルフックがヘッドの下部に取り付けられたものもあり、この種のジグヘッドの場合は上記のようにフックをソフトルアー１に刺し通すのではなく、ヘッドの後端に設けられた棒状の装着部をソフトルアー１に挿入することによってこれに装着する。
【００３０】
ヘッド５１にはラインアイ５３が設けられており、このラインアイ５３にライン（釣り糸）が装着される。ラインによってソフトルアー１が水中で引っ張られると、図１１及び図１２に示すように、水流によってブレード３が揺動する。水流を受けたブレード３は、主面（凹面及び凸面）が上下方向を向いたままルアー本体２に対して揺動するのではなく、ルアー本体２の頭部と尾部とを結ぶ軸を中心に回転しつつ揺動する。上述のようにブレード３は接続環状部４２により回転範囲が制限されている。このため、ブレード３は、ルアー本体２に対して無制限に回転することはできない。
【００３１】
ブレード３がルアー本体２と一直線に並ぶように、前後方向に延びて配置されている（以下、「基準位置」という）場合、ブレード３の凹面が下方を向き、ブレード３の凸面が上方を向くようになっている。このとき、自重によりブレード３は後端を下げるように傾斜する。したがって、正確にはブレード３の凹面は前斜め下方を向く。ブレード３がかかる基準位置にあるときから、ソフトルアー１がリトリーブされると、ブレード３は前方へ移動し、相対的に後方へ流れる水流を受ける。水流を受けたブレード３は、その後端が上昇して概ね水平状態へと移行しつつ、接続環状部４２との接続箇所を中心として左側及び右側の一方に振れつつ前方に向かって時計回り及び反時計回りの一方に回転する。ここでは、ブレード３が右側に振れつつ反時計回りに回転するものとして説明する。
【００３２】
図１３Ａは、ブレード３が右側に振れつつ反時計回りに回転したときのソフトルアー１の動作を説明するためのソフトルアー１の平面図である。上述したようにブレード３は接続環状部４２に対して回転範囲が制限されている。反時計回りに回転したブレード３が回転範囲の限界に到達すると、さらにブレード３が反時計回りに回転するように力が働くが、上述したように回転制限面４４（図９参照）によって接続具４のルアー本体２に対する相対的な回転は制限される。このため、この力によって柔軟なルアー本体２の尾部が反時計回りに捻れ、ブレード３はさらに反時計回りに回転する。ブレード３に作用する力とルアー本体２の捻れに対する抵抗力とが均衡すると、ブレード３がそれ以上反時計回りに回転しなくなり、時計回りへとブレード３の回転方向が切り替わり、同時に右側から左側へとブレード３の移動方向が切り替わる。
【００３３】
ブレード３が左側へ振れつつ時計回りに回転し始めると、ルアー本体２の捻れが解消し、ブレード３が再び基準位置に到達する。ブレード３は、基準位置を経て、慣性力及び水流によりさらに左側へと振れつつ時計回りに回転する。
【００３４】
図１３Ｂは、ブレード３が左側に振れつつ時計回りに回転したときのソフトルアー１の動作を説明するためのソフトルアー１の平面図である。時計回りに回転したブレード３が回転範囲の限界に到達すると、さらにブレード３が時計回りに回転するように力が働くが、回転制限面４４（図９参照）によって接続具４のルアー本体２に対する相対的な回転は制限される。このため、この力によって柔軟なルアー本体２の尾部が時計回りに捻れ、ブレード３はさらに時計回りに回転する。ブレード３に作用する力とルアー本体２の捻れに対する抵抗力とが均衡すると、ブレード３がそれ以上時計回りに回転しなくなり、反時計回りへとブレード３の回転方向が切り替わり、同時に左側から右側へとブレード３の移動方向が切り替わる。
【００３５】
ブレード３が右側へ振れつつ反時計回りに回転し始めると、ルアー本体２の捻れが解消し、ブレード３が再び基準位置に到達する。ブレード３は、基準位置を経て、慣性力及び水流によりさらに右側へとふれつつ反時計回りに回転する。
【００３６】
上記のような動作を繰り返すことにより、ルアー本体２の尾部の反復的な捻れ運動を伴って、ブレード３がルアー本体２の頭部と尾部とを結ぶ軸を中心に範囲を制限されつつ回転する。これは小魚の動きに似ているため、この動きに対象魚が反応し、集魚効果が得られる。
【００３７】
また、ブレード３が繰り返し回転するため、高い反射率を有するブレード３の表面によって光が反射される。ブレード３の角度は時間経過と共に変化するため、光の反射方向も変化し、対象魚からは不規則に点滅して見える。この光の時間変化は、小魚の体表から発せられる光の時間変化と似ているため、この光に対象魚が反応し、集魚効果が得られる。
【００３８】
（実施の形態２）
図１４は本実施の形態に係るソフトルアーの構成を示す斜視図であり、図１５はその平面図であり、図１６はその側面図であり、図１７はその正面図である。図１４乃至１７に示すように、ソフトルアー２０１は、ルアー本体２と、ブレード２０３と、接続具４とを備える。なお、ルアー本体２及び接続具４の構成は、実施の形態１において説明したものと同様であるので、同一構成要素については同一符号を付し、その説明を省略する。
【００３９】
ルアー本体２の尾部には、接続具４を介してブレード２０３が連結される。ブレード２０３は、光沢がある金属製のプレートであり、先端が尖った概略紡錘状に形成された所謂ウィローリーフ型のものである。ブレード２０３の表面は金色又は銀色の光沢加工が施されており、表面全体が滑らかに形成され、若しくは鱗状又は四角形の連続した模様をなすように凹凸形成されている。ブレード２０３の前後方向の長さは、ルアー本体２の前後方向の長さの１／３倍程度である。また、ブレード２０３の一面の面積は、ルアー本体２の上方からの投影面積の１／３倍以上１／２倍以下である。
【００４０】
ブレード２０３の一端側には孔２３１が設けられており、この孔２３１に接続具４の接続環状部４２が係合され、これによって接続具４の一端にブレード２０３が接続される（図１５及び１６参照）。接続環状部４２は、その穴部が横方向に開通する向きに配置されるため、ブレード２０３が後方へ延ばされた場合には、ブレード２０３の主面が上下方向を向くように配置される（図１４乃至１７参照）。また、ブレード２０３が鉛直下方に垂下された場合には、ブレード２０３の主面が前後方向を向くように配置される（図示せず）。
【００４１】
ブレード２０３は、接続環状部４２に対してある程度の範囲で回転することが可能となっているが、接続環状部４２と平行になるような位置には回転することができない。即ち、ブレード２０３は、接続環状部４２と連結されているため、接続環状部４２の穴部の範囲内で回転することが可能である。
【００４２】
かかるブレード２０３は、一面が僅かに膨出し、他面が僅かに窪むように湾曲している。ブレード２０３が前後方向へ延びるように配置された場合に、膨出面が上側を向くように、ブレード２０３が接続具４に接続される。
【００４３】
なお、本実施の形態に係るソフトルアー２０１のその他の構成及び動作は、実施の形態１に係るソフトルアー１の構成及び動作と同様であるので、その説明を省略する。
【００４４】
（実施の形態３）
図１８は本実施の形態に係るソフトルアーの構成を示す斜視図であり、図１９はその平面図であり、図２０はその側面図であり、図２１はその正面図である。図１８乃至２０に示すように、ソフトルアー３０１は、ルアー本体３０２と、ブレード２０３と、接続具３０４とを備える。なお、ブレード２０３の構成は、実施の形態２において説明したものと同様であるので、同一構成要素については同一符号を付し、その説明を省略する。
【００４５】
ルアー本体３０２は、小魚、は虫類、又は環形動物（ミミズ、ゴカイ等）の胴体を模した形状をなしている。具体的には、ルアー本体３０２は、頭部から尾部にかけて流線型又は直線状をなす所謂ストレートワームであり、頭部から尾部に至るまで概ね同一の太さとされ、頭部端が垂直面より僅かに下向きに傾斜した概略平坦面として形成され、尾部端が半球状に形成されている。また、ルアー本体３０２は、頭部から尾部を結ぶ軸に垂直な平面による断面形状が概ね正方形をなしており、その全長にわたって断面形状は概ね一定である。ルアー本体３０２は、ポリ塩化ビニル、生分解性樹脂等を主成分とする可撓性材料によって構成されている。
【００４６】
かかるルアー本体３０２の尾部には、接続具３０４を介してブレード２０３が連結される。ブレード２０３の前後方向の長さは、ルアー本体３０２の前後方向の長さの１／３倍程度である。また、ブレード２０３の一面の面積は、ルアー本体３０２の上方からの投影面積の１／３倍以上１／２倍以下である。
【００４７】
図２２は本実施の形態に係るソフトルアーの平面断面図であり、図２３はその側面断面図である。また、図２４はソフトルアー３０１の尾部周辺の拡大側面断面図である。接続具３０４は、直線状の棒状部３４１の一端に円環状の接続環状部３４２が、他端に円環状の環状部３４３がそれぞれ設けられている。かかる接続具３０４は、１つの金属製の線材に曲げ加工が施されることにより形成される。つまり、図２４に示すように、線材が２箇所において円環を形成するように折り返され、線材の両端が２つの円環（つまり、接続環状部３４２及び環状部３４３）の中間において突き合わされることにより、接続具４が形成される。接続環状部３４２は、横方向に延びる軸周りに環状に形成されており、ブレード２０３に接続される。また、環状部３４３は、横方向に延びる軸周りに環状に形成されており、ルアー本体３０２の尾部に埋め込まれる。
【００４８】
接続環状部３４２は、ブレード２０３の孔２３１に係合される。これによって接続具３０４の一端にブレード２０３が接続される（図２０参照）。接続環状部３４２は、その穴部が横方向に開通する向きに配置されるため、ブレード２０３が後方へ延ばされた場合には、ブレード２０３の主面が上下方向を向くように配置される（図１８乃至２０参照）。また、ブレード２０３が鉛直下方に垂下された場合には、ブレード２０３の主面が前後方向を向くように配置される（図示せず）。
【００４９】
ブレード２０３は、接続環状部３４２に対してある程度の範囲で回転することが可能となっているが、接続環状部３４２と平行になるような位置には回転することができない。即ち、ブレード２０３は、接続環状部３４２と連結されているため、接続環状部３４２の穴部の範囲内で回転することが可能である。
【００５０】
図２４に示すように、環状部３４３は前後及び上下方向に広がる円環状をなしている。ブレード２０３が回転範囲を超えて回転しようとすることによって接続具３０４には前後方向に延びる棒状部３４１を中心とした回転力が作用するが、環状部３４３がルアー本体３０２の尾部に埋め込まれており、環状部３４３の両側面がルアー本体３０２の内部の面と接しているため、この両側面が回転制限面として機能し、接続具３０４がルアー本体３０２に対して相対的に回転することが制限される。かかる接続具３０４では、取付対象のルアー本体３０２の尾部の大きさに合わせて、環状部３４３の大きさが設定される。つまり、環状部３４３は、その外径が、ルアー本体３０２の環状部３４３が埋め込まれる位置における高さ（上下方向の長さ）より若干小さい。本実施の形態では、ルアー本体３０２の尾部が頭部と同程度の大きさを有するため、環状部３４３の大きさは接続環状部３４２の大きさよりも大きくされている。環状部３４３の外径、つまり上下方向の長さがルアー本体３０２の環状部３４３が設けられた位置における上下方向長さに近い程、棒状部３４１から回転制限面までの最大距離が大きくなり、慣性モーメントが大きくなるため、接続具３０４のルアー本体３０２に対する相対的な回転制限効果が大きくなり好ましい。具体的には、環状部３４３の外径、つまり上下方向の長さは、環状部３４３の埋め込み位置におけるルアー本体３０２の上下方向長さに対して１／２倍以上１倍以下とすることが好ましい。
【００５１】
なお、本実施の形態に係るソフトルアー３０１の動作は、実施の形態１に係るソフトルアー１の動作と同様であるので、その説明を省略する。
【００５２】
（その他の実施の形態）
上記の実施の形態１乃至３においては、接続具４，３０４の前端に環状部４３，３４３を設け、この環状部４３，３４３をルアー本体２，３０２の尾部に埋め込む構成について述べたが、これに限定されるものではない。接続具のルアー本体に対する相対的な回転を制限するものであれば、ルアー本体への埋め込み部分の構成は問わない。接続具のルアー本体に対する相対的な回転を制限するための構造（以下、「回転制限構造」という）として、進行方向に交差する方向に向いた回転制限面を設ける構成とすることができる。図２５Ａ及びＢは、回転制限構造の例を示す斜視図である。図２５Ａに示す例では、接続具４０４が、棒状部４４１の前端に左右方向に薄い扁平部４４３を、後端にブレードを取り付けるための接続環状部４４２を有している。扁平部４４３は、主面が左方及び右方を向いた板であり、これらの主面が回転制限面４４４である。かかる扁平部４４３は、ルアー本体の尾部に埋め込まれ、回転制限面４４４がルアー本体の内部の面と接することで、接続具４０４のルアー本体に対する相対的な回転を制限する。図２５Ｂに示す例では、接続具５０４が、棒状部５４１の前端に２つの扁平部５４３ａ，５４３ｂからなる埋込部５４３を、後端にブレードを取り付けるための接続環状部５４２を有している。埋込部５４３において、２つの扁平部５４３ａ，５４３ｂは正面視において十字状に互いに交差した状態で固定されている。一方の扁平部５４３ａは、主面が左方及び右方を向いた板であり、これらの主面が回転制限面５４４ａである。他方の扁平部５４３ｂは、主面が上方及び下方を向いた板であり、これらの主面が回転制限面５４４ｂである。かかる埋込部５４３は、ルアー本体の尾部に埋め込まれ、回転制限面５４４ａ，５４４ｂがルアー本体の内部の面と接することで、接続具５０４のルアー本体に対する相対的な回転を制限する。
【００５３】
また、上記の実施の形態１乃至３においては、回転制限面４４が左右方向を向くように環状部４３，３４３がルアー本体２，３０２の内部に配置される構成について述べたが、これに限定されるものではない。前後方向以外の方向、つまりルアー本体２，３０２の頭部と尾部とを結ぶ方向と交差する方向に回転制限面４４が向いていれば、どのような環状部をどのように配置してもよい。但し、接続具に前後方向に延びる軸を中心とする回転力が作用した場合にその抗力を最大とするためには、回転制限面が前後方向に直交する方向を向くようにすることが好ましい。
【００５４】
また、上記の実施の形態１乃至３においては、ブレード３，２０３が基準位置にあるとき、ブレード３，２０３の凹面が下方を向き、ブレード３，２０３の凸面が上方を向くようにしたが、これに限定されるものではない。基準位置において、ブレード３，２０３の主面の一方（凸面又は凹面）が右方を向き、他方（凹面又は凸面）が左方を向くようにしてもよい。但し、ブレード３，２０３は、基準位置において、ルアー本体２，３０２の中心を通り前後方向に延びる鉛直面について実質的に面対称の形状を有していることが、左右の揺動を安定させるために好ましい。
【００５５】
また、上記の実施の形態１においては、ブレード３の前後方向の長さを、ルアー本体２の前後方向の長さの１／５倍程度とし、実施の形態２においては、ブレード２０３の前後方向の長さを、ルアー本体２の前後方向の長さの１／３倍程度としたが、これに限定されるものではない。但し、ブレードの前後方向の長さは、ルアー本体の前後方向の長さの１／１０倍以上１／２倍以下とすることが好ましい。
【００５６】
また、上記の実施の形態１においては、ブレード３の一面の面積を、ルアー本体２の上方からの投影面積の１／５倍以上１／３倍以下とし、実施の形態２においては、ブレード２０３の一面の面積を、ルアー本体２の上方からの投影面積の１／３倍以上１／２倍以下としたが、これに限定されるものではない。但し、ブレード３の一面の面積は、ルアー本体２の側方投影面積の１／１０倍以上１／２倍以下とすることが好ましい。
【００５７】
また、上記の実施の形態１乃至３においては、ブレード３をコロラド型ブレード、ブレード２０３をウィローリーフ型ブレードとしたが、これに限定されるものではない。ブレードを任意の形状の板とすることが可能である。例えば、四角形、五角形等の多角形の板としてブレードを構成することもできる。また、実施の形態１乃至３においては、ブレード３，２０３を、一面が僅かに膨出し、他面が僅かに窪むように湾曲した板状に構成したが、これに限定されるものではない。ブレードを平板状に構成してもよいし、例えば４５°など所定角度で屈曲した板状としてもよい。但し、ブレードの左右の揺動を安定させるために、その形状を、ブレードが後方へ延ばされた場合にルアー本体の中心を通り前後方向に延びる鉛直面について面対称にすることが好ましい。
【産業上の利用可能性】
【００５８】
本発明のソフトルアーは、魚釣り用のソフトルアーとして有用である。
【符号の説明】
【００５９】
１，２０１，３０１  ソフトルアー
２，３０２  ルアー本体
３，２０３  ブレード
３１，２３１  孔
４，３０４，４０４，５０４  接続具
４１，３４１，４４１，５４１  棒状部
４２，３４２，４４２，５４２  接続環状部
４３，３４３  環状部
４４，４４４，５４４ａ，５４４ｂ  回転制限面
４４３，５４３ａ，５４３ｂ  扁平部
５４３  埋込部
５  ジグヘッド
５１  ヘッド
５２  フック
５３  ラインアイ
【図１】
2018198574.tif 000003
【図２】
2018198574.tif 000004
【図３】
2018198574.tif 000005
【図４】
2018198574.tif 000006
【図５】
2018198574.tif 000007
【図６】
2018198574.tif 000008
【図７】
2018198574.tif 000009
【図８】
2018198574.tif 000010
【図９】
2018198574.tif 000011
【図１０】
2018198574.tif 000012
【図１１】
2018198574.tif 000013
【図１２】
2018198574.tif 000014
【図１３Ａ】
2018198574.tif 000015
【図１３Ｂ】
2018198574.tif 000016
【図１４】
2018198574.tif 000017
【図１５】
2018198574.tif 000018
【図１６】
2018198574.tif 000019
【図１７】
2018198574.tif 000020
【図１８】
2018198574.tif 000021
【図１９】
2018198574.tif 000022
【図２０】
2018198574.tif 000023
【図２１】
2018198574.tif 000024
【図２２】
2018198574.tif 000025
【図２３】
2018198574.tif 000026
【図２４】
2018198574.tif 000027
【図２５Ａ】
2018198574.tif 000028
【図２５Ｂ】
2018198574.tif 000029